(57)【特許請求の範囲】
【請求項１】
長手軸方向が略同一直線上に沿って配置されて先端が互いに略相対向して設けられ、かつ交互に点灯する２本の片口金型ランプと；
この２本の片口金型ランプがそれぞれ装着されるソケットと；
一対の通孔が前記２本のランプの長手軸方向に形成され、この通孔にそれぞれ挿通された前記ソケットに装着された２本の片口金型ランプを内包するように設けられる反射鏡と；
を備えた照明器具において、各片口金型ランプは外管内部に複数の発光部を有し、各発光部は各片口金型ランプの点灯動作ごとに順次点灯することを特徴とする照明器具。
【発明の詳細な説明】
【０００１】
【産業上の利用分野】
本発明は、例えば、道路灯などに用いる複数のランプを備えた照明器具に関する。
【０００２】
【従来の技術】
従来、道路灯などの照明器具において、２本の直管型ランプを同一水平面上に配置した構成が知られている。そして、これらの直管型ランプを交互に点灯することにより、個々の直管型ランプの寿命を延ばし、照明器具の保守作業の回数を低減することを図っている。
【０００３】
【発明が解決しようとする課題】
しかしながら、上記従来のように、２本の直管型ランプを同一水平面上に配置した構成では、各ランプを交互に点灯した状態で、水平方向の配光特性が非対称に変化しやすいとの問題を有している。また、２本の直管型ランプを同一水平面上に配置した構成では、照明器具が幅方向に大型化しやすいとの問題を有している。
【０００４】
本発明は、このような点に鑑みなされたもので、ランプの寿命を延ばすことにより、ランプ交換の回数を低減するなどして、保守作業を容易にできるとともに、配光特性の変化が少ない照明器具を提供することを目的とする。
【０００５】
【課題を解決するための手段】
請求項１記載の照明器具は、長手軸方向が略同一直線上に沿って配置されて先端が互いに略相対向して設けられ、かつ交互に点灯する２本の片口金型ランプと；この２本の片口金型ランプがそれぞれ装着されるソケットと；一対の通孔が前記２本の片口金型ランプの長手軸方向に形成され、この通孔にそれぞれ挿通された前記ソケットに装着された２本の片口金型ランプを内包するように設けられる反射鏡と；を備えた照明器具において、各片口金型ランプは外管内部に複数の発光部を有し、各発光部は各片口金型ランプの点灯動作ごとに順次点灯することを特徴したものである。
【０００７】
【作用】
請求項１記載の照明器具では、少なくとも２本のランプを備え、これらのランプを交互に点灯することにより、各ランプの長寿命化が図られ、ランプ交換の回数が低減されて、照明器具の保守作業が容易になる。各ランプは、互いに略同一直線上に位置し、かつ、互いに略相対向して設けられたので、各ランプの反射鏡により反射される配光特性の変化が小さいとともに、各ランプを装着するランプソケットの位置が略反対向きになり、各ランプの装着作業が容易になる。
【０００８】
さらに各ランプは、それぞれ交互に点灯する複数の発光部を備えたので、これらの発光部を順次点灯させることにより、各ランプの長寿命化が図られ、照明器具の保守作業がさらに容易になる。
【０００９】
【実施例】
以下、本発明を説明するため、照明器具の構成を図面を参照して説明する。
【００１０】
図１ないし図４において、11は照明器具としての屋外型の道路灯で、この道路灯11は、先端部近傍が傾斜状に屈曲されたポール12と、このポール12の先端部に固定された器具本体14とを有している。この器具本体14は、下面を開口した平面略楕円状をなし、この器具本体14の下側部に、器具本体14と同一の材料からなる枠体15が取り付けられている。また、この枠体15は、先端部がヒンジ体16により器具本体14に回動自在に連結されているとともに、後端部近傍にてラッチ17により係脱可能に器具本体14に係止されている。そして、このラッチ17の操作部17a を下方に回動操作することにより、ラッチ17の係合が外れて枠体15が回動し、器具本体14の下面を開口できるようになっている。
【００１１】
また、器具本体14の前側部には、下面を開口した略球面状をなす反射鏡21が設けられているとともに、枠体15には、この反射鏡21の開口を覆うようにして、上面を開口した略球面状をなす硬質ガラス製のグローブ22が設けられている。そして、このグローブ22の周縁部と、反射鏡21の周縁部との間には、環状をなすシリコンゴム製のパッキング23が挾持され、反射鏡21の内部に雨水が侵入しないように液密に保持されている。
【００１２】
さらに、反射鏡21の前部および後部に形成された通孔を挿通する状態で、それぞれランプソケット25，26が取り付けられている。これらのランプソケット25，26は、ほぼ反対方向に向かって平行状に設けられているとともに、前側のランプソケット25は、後側のランプソケット26よりも若干上側に配置されている。
【００１３】
そして、これらのランプソケット25，26には、それぞれランプとしての直管型で片口金型の高圧のナトリウムランプ27，27が装着されている。また、各ナトリウムランプ27，27は、それぞれ２本の管状をなす発光部28，28を有し、これらの発光部28，28は、それぞれナトリウムランプ27，27の長手方向に対して若干傾斜し、かつ、互いに交差するように配置されている。そして、各ランプソケット25，26に装着されたナトリウムランプ27，27は、互いに平行状をなし、同一鉛直面上に位置するとともに、各発光部28，28の中心位置（ランプセンタ）が、上下に位置合わせされるようになっている。
【００１４】
また、各ランプソケット25，26は、電線31を介して端子台32に接続され、さらに、この端子台32に接続されてポール12内部を挿通する図示しない電線を介して、地中などに設置された電源線に接続されている。
【００１５】
なお、ポール12の先端部は、複数の六角ボルト33により器具本体14に固定されている。また、枠体15の後部下面には、銘板34が固着されている。
【００１６】
そして、この道路灯11によれば、２本の直管型のナトリウムランプ27，27を備えるとともに、各ナトリウムランプ27，27にそれぞれ２本の発光部28，28を備えたため、例えば、毎晩道路灯11を点灯動作させるごとに、これらの合計４個の発光部28を順次点灯させることにより、各ナトリウムランプ27，27の長寿命化を図ることができる。そこで、ランプ交換の回数を低減して、道路灯11の保守点検作業を容易にすることができ、たとえば、１個の発光部を有した１本のランプを備えた道路灯に比べ、ランプの交換作業を４分の１にすることができる。
【００１７】
また、各ナトリウムランプ27，27を互いに略同一鉛直面上に位置して上下に配置したため、ナトリウムランプ27，27を２本装着しても器具本体14を小形化できるとともに、各ナトリウムランプ27，27を交互に点灯した場合にも、反射鏡21により反射される配光の乱れを抑え、水平方向における配光特性の変化を小さくして、左右の対称性が良好な安定した配光を得ることができる。
【００１８】
さらに、各ナトリウムランプ27，27は、互いに反対方向に向かうランプソケット25，26に装着されているため、各ナトリウムランプ27，27の装着作業あるいは交換作業を容易にすることができる。
【００１９】
また、各ナトリウムランプ27，27の発光部28，28を同時に複数発光させることにより、調光を行なうことができる。そこで、複数種の道路灯を組み合わせる必要なく、良好な照明効果を得ることができる。
【００２０】
次に、本発明の一実施例を説明する。
【００２１】
図５および図６において、41はトンネル、地下道、アーケードなどに設置される道路灯で、この道路灯41は、下面を開口した略箱状をなす器具本体42を有している。そして、この器具本体42の長手方向の両端部近傍には、ほぼ同一直線上に相対向して一対のランプソケット44，44が設けられている。さらに、これらのランプソケット44，44に、それぞれ図１などに示すものと同様の、複数の発光部28，28を有したナトリウムランプ27，27が装着されている。
【００２２】
そして、これらのナトリウムランプ27，27は、ランプソケット44，44に装着された状態で、各ナトリウムランプ27，27の軸方向に沿って同一直線上に配置されている。
【００２３】
また、器具本体42の内部には、各ナトリウムランプ27，27の上側部および両側部に光学的に対向して、反射鏡46が設けられている。この反射鏡46は、器具本体42の長手方向に沿って中央部で２分割され、それぞれ断面略放物線状などをなす反射板47，47を組み合わせて構成されている。
【００２４】
さらに、器具本体42の開口には、平面状の前面ガラス48が装着されている。
【００２５】
そして、本実施例においても、図１などに示す実施例と同様の効果を得ることができる。特に、トンネル内などの照明においては、適切な調光が必要であるとともに、ランプの交換作業が困難であるため、ランプの長寿命化が求められている。しかし、従来は、出力の異なる灯具を一定のパターンで配置し、間引き点灯することなどにより適切な調光を得ているため、ランプの長寿命化が困難であるとともに、複数種の灯具が必要なため保守点検作業も煩雑であるとの問題を有している。この点、本実施例の道路灯41によれば、合計４個の発光部28を例えば毎日の点灯動作ごとに順次点灯させることにより、ランプを長寿命化し、ランプ交換の回数を低減して、保守点検作業の労を軽減することができる。また、４個の発光部28のうち、複数の発光部28を点灯させることにより、種々の調光効果を得ることができ、異なる出力の灯具を配設する必要をなくすことができる。
【００２６】
なお、図７および図８に示すように、各ナトリウムランプ27，27および反射鏡46の少なくとも一方を、長手方向の中央部が上側に向かうように傾斜させることもできる。また、この構成では、反射鏡46は、長手方向に２分割した反射板47a ，47a を組み合わせて構成されている。
【００２７】
そして、このような構成により、反射鏡46により反射された光線が、器具本体42の端面に遮られることなく、効率良く路面を照明することができる。
【００２８】
なお、図５ないし図８に示す実施例では、それぞれ反射鏡46をそれぞれ２分割して構成したが、それぞれ一体にあるいは４分割して形成することもできる。
【００２９】
また、図５ないし図８に示す実施例において、点灯制御回路を用いて、各発光部28を調光制御することもできる。そして、各発光部28を調光制御することにより、１本のナトリウムランプ27について、両発光部28の消灯状態、両発光部28の点灯状態のほか、いずれか一方の発光部28を消灯しかつ他方の発光部28を調光した状態、いずれか一方の発光部28を消灯しかつ他方の発光部28を点灯した状態、両発光部28を調光した状態、さらに、いずれか一方の発光部28を調光しかつ他方の発光部28を点灯した状態などを使い分けることができる。
【００３０】
さらに、図５ないし図８に示す実施例において、一方のランプにフロストバルブなど他方のランプと異なる種類のランプを組み合わせることができる。このように、多種の光源を組み合わせることにより、光色の異なる多様な照明効果を得ることができる。特に、フロストバルブを用いることにより、シャープな光線とソフトな光線とを使い分けることができ、例えばアーケードの照明などにおいて、良好な雰囲気を演出することができる。
【００３１】
次に、さらに他の実施例を図９および図１０を参照して説明する。
【００３２】
51はトンネル、地下道、アーケードなどに設置される道路灯で、この道路灯51は、下面を開口した略箱状をなす器具本体52を有している。そして、この器具本体52の長手方向の両端部近傍には、ほぼ同一直線上に相対向して一対のランプソケット54，54が設けられている。さらに、これらのランプソケット54，54には、それぞれ左右一対の発光部28L ，28R を有したナトリウムランプ27a ，27a が装着されている。また、これらの発光部28R ，28L は、ナトリウムランプ27a ，27a の長手方向に沿って、互いに平行状に形成されている。
【００３３】
そして、これらのナトリウムランプ27a ，27a は、各ランプソケット54，54に装着された状態で、各ナトリウムランプ27a ，27a の軸方向が同一直線上に位置するように配置されるとともに、各発光部28R ，28L が互いに同一水平面上に位置するようになっている。
【００３４】
また、器具本体42の内部には、各ナトリウムランプ27a ，27a の上側部および両側部に光学的に対向して、反射鏡56が設けられている。この反射鏡56は、各ナトリウムランプ27a ，27a の上側部に対向する平面状の上部反射板部56a と、各ナトリウムランプ27a ，27a の側部に対向する断面略放物線状などに彎曲した側部反射板部56b となどから構成されている。
【００３５】
さらに、器具本体52の開口には、平面状の前面ガラス59が装着されている。
【００３６】
そして、本実施例の道路灯51では、図１０に示すように、一端側のナトリウムランプ27a の一側の発光部28R が点灯した状態では、他端側のナトリウムランプ27a の反対側の発光部28L が点灯するように制御されている。そして、この点灯状態は、例えば１日ごとに切り替え制御され、翌日には、一端側のナトリウムランプ27a の他側の発光部28L が点灯するとともに、他端側のナトリウムランプ27a の反対側の発光部28R が点灯するようになっている。
【００３７】
このようにして、一対のナトリウムランプ27a ，27a からそれぞれ照射され、反射鏡56により反射される光線を合わせると、左右略対称な照射パターンが得られるようになっている。
【００３８】
そして、従来の道路灯では、複数の発光部を備えたランプは、点灯姿勢により配光特性が変化するなど点灯制御が難しく、一灯の道路灯により路面を均一に照明することが困難であるため、複数の灯具を用いる必要がある。そこで、ランプ交換、清掃などの保守点検作業が煩雑で、初期に必要な費用（イニシャルコスト）が高いとの問題を有している。
【００３９】
この点、本実施例によれば、一対のナトリウムランプ27a ，27a を相対向させて支持し、各ナトリウムランプ27a ，27a の発光部28R ，28L を水平状に支持するとともに、各ナトリウムランプ27a ，27a において互いに反対側の発光部28R ，28L を発光させるようにしたため、一灯の道路灯51により、路面を均一に照明でき、ランプの長寿命化を実現してランプ交換の回数を低減しつつイニシャルコストを低減することができる。
【００４０】
そして、本実施例の道路灯51を用いた場合には、例えば、トンネル内に設置された全ての道路灯51を制御回路により一元的に管理し、各ナトリウムランプ27a ，27a の左右の発光部28R ，28L を交互に点灯するように制御するシステムを構築することにより、トンネル内の全域を高い均一度で照明することができる。
【００４１】
また、必要に応じて、各道路灯51を調光、あるいは消灯制御することにより、トンネル内の各所において必要に応じた適切な照明レベルを得られるため、出力の異なる複数の灯具を所定のパターンで配置する必要を無くすことができ、イニシャルコストを低減することができる。
【００４２】
また、上記の図１ないし図１０に示す実施例において、図１１ないし図１３に示すように、道路灯60の内部に２本のナトリウムランプ27，27を近接して略平行状に配置した場合には、各ナトリウムランプ27，27のガラスバルブ（外管）に環状のスプリング体61を８の字状に掛け回すことにより、各ナトリウムランプ27，27を互いに弾性的に支持させて、ランプ27，27同士の干渉を防ぎ、耐振性能を向上することができる。
【００４３】
すなわち、道路灯60は道路の近傍に設置され、器具本体64に頻繁に振動が伝わるため、各ナトリウムランプ27，27を支持するランプホルダを器具本体64あるいは反射鏡65に設ける必要がある。しかしながら、このようなランプホルダを設けるためには、器具本体64あるいは反射鏡65の加工工程が必要になるとともに、特定のランプに対応するランプホルダを設けると、ランプの種類を変更した場合に当該ランプホルダを使用できなくなり、道路灯60の汎用性が低下するとの問題を有している。
【００４４】
この点、上記のスプリング体61を用いてナトリウムランプ27，27同士を互いに保持せしめることにより、耐振性能を向上することができるため、各ナトリウムランプ27，27を機械的に保持するランプホルダが不要になり、加工工程を削減できるとともに、道路灯60の構造を簡素化し、汎用性を高めることができる。
【００４５】
なお、このスプリング体61は、種々の形状のランプに対応することができ、また、図１１に示すように、各ナトリウムランプ27，27を互いに反対方向に向けて支持した場合のみならず、図１２に示すように、各ナトリウムランプ27，27を同方向に向けて支持した場合にも用いることができる。
【００４６】
さらに、上記の各実施例においては、それぞれ２本の発光部28，28を備えたナトリウムランプ27，27を用いたが、それぞれ１個の発光部を備えたナトリウムランプを用いることもできる。また、メタルハライドランプ、水銀ランプなど多種の放電ランプを用いることもでき、あるいは、白熱電球などを用いることもできる。
【００４７】
また、上記の各実施例においては、それぞれ２本のナトリウムランプ27，27を用いたが、さらに多くの本数のナトリウムランプ27などを用いることもできる。
【００４８】
【発明の効果】
請求項１記載の照明器具では、２本の片口金型ランプを備え、これらのランプを交互に点灯することにより、ランプの長寿命化を図り、ランプ交換の回数を低減して照明器具の保守作業を容易にすることができる。各片口金型ランプは、長手軸方向が略同一直線上に位置し、かつ、互いに略相対向して設けたため、片口金型ランプ用ソケットが挿通される一対の通孔が２本の片口金型ランプの長手軸方向にそれぞれ形成された反射鏡により反射される配光特性の変化を小さくできるとともに、各片口金型ランプを装着するランプソケットの位置が略反対向きになり、各片口金型ランプの装着作業を容易にすることができる。
【００４９】
さらに各ランプに、それぞれ交互に点灯する複数の発光部を備えたため、これらの発光部を順次点灯させることにより、各ランプの長寿命化を図り、ランプ交換の回数を低減して照明器具の保守作業をさらに容易にすることができる。
【図面の簡単な説明】
【図１】  本発明を説明するための照明器具を示す道路灯の断面図である。
【図２】  同上道路灯の下面図である。
【図３】  同上道路灯の断面図である。
【図４】  同上道路灯の斜視図である。
【図５】  本発明の一実施例を示す道路灯の断面図である。
【図６】  同上道路灯の断面図である。
【図７】  本発明の他の実施例を示す道路灯の断面図である。
【図８】  同上道路灯の断面図である。
【図９】  本発明の他の実施例を示す道路灯の断面図である。
【図１０】  同上道路灯の作用を説明する断面図である。
（ａ）は図９のＩ−Ｉ断面図
（ｂ）は図９のII−II断面図
【図１１】  本発明を説明するために示す道路灯の断面図である。
【図１２】  本発明を説明するために示す道路灯の断面図である。
【図１３】  同上一部の断面図である。
【符号の説明】
27    ランプとしてのナトリウムランプ
28    発光部
41 照明器具としての道路灯
46 反射鏡
【図１】
0004008964.tif 000002
【図２】
0004008964.tif 000003
【図３】
0004008964.tif 000004
【図４】
0004008964.tif 000005
【図５】
0004008964.tif 000006
【図６】
0004008964.tif 000007
【図７】
0004008964.tif 000008
【図８】
0004008964.tif 000009
【図９】
0004008964.tif 000010
【図１０】
0004008964.tif 000011
【図１１】
0004008964.tif 000012
【図１２】
0004008964.tif 000013
【図１３】
0004008964.tif 000014